(57)【特許請求の範囲】
【請求項１】
ショット投射装置を装着した扉により一端開口部が開閉可能に構成されかつ被研掃品を収納して撹拌・転倒させる有底筒体状のケーシングに、前記一端開口部から被研掃品を供給するバケットローダーを備えたバケットローダー装置であって、
前記ケーシングの前記一端開口部に入出可能な前記バケットローダーと、
このバケットローダーが上面に沿って往復動可能にして装着されかつ上下旋回可能に構成された旋回フレームと、
この旋回フレームに装着されて前記バケットローダーを往復動させる油圧回路に流量調整弁を設けた油圧シリンダまたはサーボモータ付き電動シリンダを用いた往復動機構と、
前記旋回フレームを上下旋回させる旋回機構と、
前記バケットローダーに装着されてこれの開口部を閉鎖可能な蓋と、
前記バケットローダーに装着されて前記蓋を開閉駆動させ、前記開閉駆動の途中停止を可能にし、前記被研掃品の排出量を調整して前記被研掃品同士の激突を防止する開閉駆動機構と、
を備えたことを特徴とするバケットローダー装置。
【発明の詳細な説明】
【技術分野】
【０００１】
本発明は、バケットローダー装置に係り、より詳しくは、ショット投射装置を装着した扉により一端開口部が開閉可能に構成されかつ被研掃品を収納して撹拌・転倒させる有底筒体状のケーシングに、前記一端開口部から被研掃品を供給するバケットローダーを備えたバケットローダー装置に関する。      
【背景技術】
【０００２】
従来、この種のバケットローダー装置の一つとして、上述のケーシングの一端開口部付近までバケットローダーを持ち上げたのち、このバケットローダーをケーシングの一端開口部に向けて傾動させて、バケットローダー内の被研掃品を転がり落としケーシング内に投入するように構成されたものがある。
【特許文献１】特開昭５７−１０２７５６号公報
【発明の開示】
【発明が解決しようとする課題】
【０００３】
しかし、このように構成された従来のバケットローダー装置では、バケットローダー内の被研掃品が自重で自然に転がり落ちるようにバケットローダーは可也大きな角度に傾斜されるうえに、ケーシングの一端開口部付近に位置するバケットローダーがケーシングの胴壁や底壁から可也の高さ離れているため、バケットローダーから転がり落ちた被研掃品が早い速度で落下してケーシングの胴壁や底壁あるいはケーシングの底壁上の他の被研掃品に激しく衝突し、その結果、被研掃品に打痕や傷が付くとともに騒音が発生するなどの問題が生じていた。
【０００４】
本発明は上記の事情に鑑みてなされたもので、その目的は、バケットローダー内から排出される被研掃品が、ケーシングの胴壁や底壁あるいはケーシングの底壁上の他の被研掃品と激しく衝突したりすることのないバケットローダー装置を提供することにある。      
【課題を解決するための手段】
【０００５】
上記の目的を達成するために本発明のバケットローダー装置は、ショット投射装置を装着した扉により一端開口部が開閉可能に構成されかつ被研掃品を収納して撹拌・転倒させる有底筒体状のケーシングに、前記一端開口部から被研掃品を供給するバケットローダーを備えたバケットローダー装置であって、前記ケーシングの前記一端開口部に入出可能な前記バケットローダーと、このバケットローダーが上面に沿って往復動可能にして装着されかつ上下旋回可能に構成された旋回フレームと、
この旋回フレームに装着されて前記バケットローダーを往復動させる油圧回路に流量調整弁を設けた油圧シリンダまたはサーボモータ付き電動シリンダを用いた往復動機構と、前記旋回フレームを上下旋回させる旋回機構と、前記バケットローダーに装着されてこれの開口部を閉鎖可能な蓋と、前記バケットローダーに装着されて前記蓋を開閉駆動させ、前記開閉駆動の途中停止を可能にし、前記被研掃品の排出量を調整して前記被研掃品同士の激突を防止する開閉駆動機構と、を備えたことを特徴とする。
【０００６】
このように構成されたものは、所定量の被研掃品をバケットローダーに投入してその開口部を蓋によって閉鎖したのち、旋回機構の駆動により旋回フレームを介してバケットローダーをケーシングの一端開口部付近まで持ち上げるとともに、バケットローダー内の被研掃品が転がり落ちる角度までバケットローダーを傾動させ、続いて、往復動機構の駆動によりバケットローダーをケーシング内に進入させるとともにバケットローダーの先端をケーシングの胴壁あるいは底壁に近づけ、その後、開閉駆動機構の駆動により蓋を駆動してバケットローダーの開口部を開くと、バケットローダー内の被研掃品は、転がり落ちて、低い高さからケーシング内に供給されることとなる。
【発明の効果】
【０００７】
以上の説明から明らかなように本発明は、ショット投射装置を装着した扉により一端開口部が開閉可能に構成されかつ被研掃品を収納して撹拌・転倒させる有底筒体状のケーシングに、前記一端開口部から被研掃品を供給するバケットローダーを備えたバケットローダー装置であって、前記ケーシングの前記一端開口部に入出可能な前記バケットローダーと、このバケットローダーが上面に沿って往復動可能にして装着されかつ上下旋回可能に構成された旋回フレームと、この旋回フレームに装着されて前記バケットローダーを往復動させる往復動機構と、前記旋回フレームを上下旋回させる旋回機構と、前記バケットローダーに装着されてこれの開口部を閉鎖可能な蓋と、前記バケットローダーに装着されて前記蓋を開閉駆動する開閉駆動機構と、を備えたから、被研掃品を収納しかつ開口部を蓋によって閉鎖したバケットローダーをケーシングの胴壁あるいは底壁に近づけた後、その開口部を開いて被研掃品をケーシング内に供給することができるため、バケットローダー内から排出される被研掃品がケーシングの胴壁や底壁あるいはケーシングの底壁上の他の被研掃品に激しく衝突したりするのを未然に防ぐことが可能になるなどの優れた実用的効果を奏する。
【発明を実施するための最良の形態】
【０００８】
以下、本発明のバケットローダー装置を適用したショットブラスト設備の一実施例について図１に基づき詳細に説明する。本ショットブラスト設備は、図示しない傾動機構を介して機台１に傾動可能に設置され、ショット投射装置２を装着した扉３により一端開口部が開閉可能に構成されかつ被研掃品を収納して撹拌・転倒させる有底筒体状のケーシング４と、前記傾動機構に装着され横向きに載置された前記ケーシング４を回転させる回転駆動機構５と、前記機台１に装着されて前記ケーシング４の一端開口部を開閉すべく前記扉３を旋回移動させる旋回移動機構６と、前記ケーシング４の一端開口部から被研掃品を供給するバケットローダー装置７と、前記ケーシング４から排出されたショットを回収して前記ショット投射装置２に戻すショット回収装置８と、で構成してある。
【０００９】
そして、前記バケットローダー装置７は、前記ケーシング４の前記一端開口部に入出可能に構成されたバケットローダー９と、このバケットローダー９がガイド機構１０を介し上面に沿って往復動可能にして装着されかつリンク１１を介して前記機台１に上下旋回可能に連結された旋回フレーム１２と、この旋回フレーム１２に装着されて前記バケットローダー９を往復動させる往復動機構としての油圧シリンダ１３と、前記旋回フレーム１２上下旋回させる旋回機構としてのチェーンブロック１４と、前記バケットローダー９に装着されてこれの開口部を閉鎖可能な蓋１５と、前記バケットローダー９に装着されて前記蓋１５を開閉駆動する開閉駆動機構としてのリンク機構１６付シリンダ１７と、を備えている。
【００１０】
また、前記リンク機構１６には蓋１５の開端および閉端をそれぞれ検出するセンサ１８・１９がそれぞれ付設してあり、しかも、開端用センサ１８は適宜の慣用手段によりその位置を手作業で調整することができるようになっていて、被研掃品を前記バケットローダー９から排出する際のバケットローダー９の開口部の開度を調節することにより、被研掃品の排出量を調整して被研掃品同士の激突等を防止することができる。
【００１１】
また、前記油圧シリンダ１４を作動する油圧回路には、流量調整弁が設けてあって、前記バケットローダー９を前記ケーシング４から後退させる際のバケットローダー９の移動速度を調整することができるようになっており、さらに、前記油圧回路の方向切換弁を制御する制御盤には制御タイマが設けてあって、この制御タイマの適宜の設定により、前記バケットローダー９から排出されて前記ケーシング４内に収納させた被研掃品の量に対応させて、前記バケットローダー９の前記ケーシング４からの後退を開始させることができるようになっている。
【００１２】
次に、図示するように、所定量の被研掃品をバケットローダー９に投入してその開口部を蓋１５によって閉鎖した状態から、バケットローダー装置７によってケーシング４に被研掃品を供給する手順について述べる。まず、チェーンブロック１４を駆動して、旋回フレーム１２を介してバケットローダー９をケーシング４の一端開口部付近まで持ち上げるとともに、バケットローダー９内の被研掃品が転がり落ちる角度までバケットローダー９を傾動させ、続いて、油圧シリンダ１３を作動してバケットローダー９をケーシング４内に進入させるとともにバケットローダー９の先端をケーシング４の胴壁あるいは底壁に近づけ、その後、リンク機構１６付シリンダ１７を作動して蓋１５を反時計回り方向へ回動するとともに開端用センサ１８の検知により、バケットローダー８の開口部を所要の開度に開いてバケットローダー９内の被研掃品をケーシング４に供給する。この場合、バケットローダー９内の被研掃品は、バケットローダー９の開口部の開放によりはじめて転がり落ちるため、低い高さからケーシング４内に供給されることとなる。
【００１３】
なお、上述の実施例では、往復動機構として油圧シリンダ１３を用いたが、油圧シリンダ１３の代わりにサーボモータ付きの電動シリンダを用いても同様の作用効果が得られるのはもちろんである。
【００１４】
またなお、上述の実施例では、リンク機構１６に蓋１５の開端および閉端をそれぞれ検出するセンサ１８・１９をそれぞれ付設して、開閉駆動機構としてのシリンダ１７を途中停止可能に構成したが、これに限定されるものではなく、シリンダ１７の代わりにサーボモータ付きの電動シリンダを用いて、蓋１５の開口作動を途中停止できるようにしてもよい。
【図面の簡単な説明】
【００１５】
【図１】本発明のバケットローダー装置を適用したショットブラスト設備の一実施例の正面図である。
【符号の説明】
【００１６】
２    ショット投射装置
３    扉
４    ケーシング
７    バケットローダー装置
９    バケットローダー
１３    油圧シリンダ
１２    旋回フレーム
１４    チェーンブロック
１５    蓋
１６    リンク機構
１７    シリンダ
【図１】
0004688030.tif 000002